(57)【要約】【課題】より確実に原稿をコンタクトガラスから剥離させ、ユーザの操作性を向上させる。【解決手段】原稿を保持するための保持部と、原稿の設置面に対して伸縮可能な支柱と、支柱を動作させる駆動部とを備えた原稿スケール部と、支柱を伸ばすように原稿スケール部を上昇制御することにより、保持された原稿を設置面から持ち上げる制御部と、を備える。【選択図】図２
2018019342.tif 000002
【特許請求の範囲】
【請求項１】
原稿を保持するための保持部と、前記原稿の設置面に対して伸縮可能な支柱と、前記支柱を動作させる駆動部とを備えた原稿スケール部と、
前記支柱を伸ばすように前記原稿スケール部を上昇制御することにより、保持された前記原稿を前記設置面から持ち上げる制御部と、
を備えることを特徴とする原稿読取装置。
【請求項２】
請求項１に記載の原稿読取装置において、
持ち上げられた前記原稿の下側に形成される空間に空気流を送る送風部、
を備えることを特徴とする原稿読取装置。
【請求項３】
請求項１に記載の原稿読取装置において、
前記制御部は、前記原稿を押えるための圧板の開閉、前記原稿の有無、装置への電源供給の有無、規定時間経過のいずれかに基づいて、前記原稿スケール部を昇降制御する、
ことを特徴とする原稿読取装置。
【請求項４】
請求項３に記載の原稿読取装置において、
前記制御部は、前記保持部により前記原稿が保持された状態で前記圧板が開けられた場合に、前記原稿スケール部を上昇制御する、
ことを特徴とする原稿読取装置。
【請求項５】
請求項２に記載の原稿読取装置において、
前記制御部は、前記保持部により保持された状態で圧板が閉じられる際に、前記送風部から空気流を送り出す、
ことを特徴とする原稿読取装置。
【請求項６】
請求項２に記載の原稿読取装置において、
前記制御部は、前記保持部により保持された原稿のサイズに応じて、前記送風部から送り出す空気流の量または／および前記空間に空気流を送り出す角度である排出角度を変える、
ことを特徴とする原稿読取装置。
【請求項７】
請求項２に記載の原稿読取装置において、
前記原稿を前記設置面から持ち上げるか否かまたは／および前記空気流を送るか否かの指定をユーザから受け付け、前記指定を切り替え可能な入力部、
を備えることを特徴とする原稿読取装置。
【請求項８】
請求項３に記載の原稿読取装置において、
前記制御部は、前記保持部により前記原稿が保持された状態で前記規定時間経過した場合に、前記原稿スケール部を下降制御する、
ことを特徴とする原稿読取装置。
【発明の詳細な説明】
【技術分野】
【０００１】
本発明は、原稿読取装置に関する。
【背景技術】
【０００２】
コンタクトガラス上に原稿用紙を設置し、光学センサを走査することにより画像データ得る読取装置において、読取後の原稿用紙を取り除く際に、原稿を痛めず、コンタクトガラスを汚さないように容易に取り除ける機構が求められている。そこで、コンタクトガラス上で原稿を滑らせて除去する際の障害を排除したり、原稿を浮かせることで、コンタクトガラスに触れることなく原稿のみを除去できる技術がある。
【０００３】
例えば、特許文献１には、原稿を除去し易くする目的で、空気流を発生させる送風部を設け、この送風部から発生した空気流を、原稿を載置するコンタクトガラスと原稿との間に導く送風通路を設けることにより、空気流を原稿とコンタクトガラス間に送り込むことで、原稿端部がコンタクトガラスから浮かび上がらせる構成が開示されている。
【発明の概要】
【発明が解決しようとする課題】
【０００４】
しかし、上記特許文献１のように、今までの原稿を浮かせる装置では、原稿スケール部などから噴出したエアーを直接原稿に噴射し、原稿を浮き上がらせようとするため、エアー量や用紙種類によっては、原稿がユーザにとって除去し易い状態に遷移しない場合があった。そのため、原稿が確実にコンタクトガラス上に留まる保障はなく、ユーザの操作性を悪化する問題があった。
本発明は、上記に鑑みてなされたものであって、より確実に原稿をコンタクトガラスから剥離させ、ユーザの操作性を向上させることが可能な原稿読取装置を提供することを目的とする。
【課題を解決するための手段】
【０００５】
上記の課題を解決し、目的を達成するために、本発明に係る原稿読取装置は、原稿を保持するための保持部と、前記原稿の設置面に対して伸縮可能な支柱と、前記支柱を動作させる駆動部とを備えた原稿スケール部と、前記支柱を伸ばすように前記原稿スケール部を上昇制御することにより、保持された前記原稿を前記設置面から持ち上げる制御部と、を備えることを特徴とする。
【発明の効果】
【０００６】
本発明によれば、より確実に原稿をコンタクトガラスから剥離させ、ユーザの操作性を向上させることができる。
【図面の簡単な説明】
【０００７】
【図１】原稿読取装置の機能的な構成を示すブロック図である。
【図２】スケール部材の昇降動作について説明する図である。
【図３】原稿スケールを昇降させるタイミングを示す状態遷移表である。
【図４】図３に示した状態遷移表を示したイメージ図である。
【図５】読取動作の処理手順を示すフローチャートである。
【発明を実施するための形態】
【０００８】
以下、本発明の実施の形態について添付図面を参照して説明する。本発明に係る原稿読取装置を適用した原稿読取装置１００では、コンタクトガラス上に原稿用紙を置き、光学センサを走査することにより画像データを得る読取装置において、読取後の原稿用紙を取り除く動作に際して、以下の特徴を有している。すなわち、原稿スケール端部に原稿用紙を保持させ、原稿スケール部材を原稿セット面から上昇させることが特徴になっている。上記記載の特徴について、以下の図面を用いて詳細に解説する。
【０００９】
図１は、原稿読取装置１００の機能的な構成を示すブロック図である。図１に示すように、原稿読取装置１００は、各ブロックを制御する本体制御部１０１を備えており、各ブロックはこの本体制御部１０１からの指示により動作行う。本体制御部１０１で実施する各ブロックの協調動作によって画像形成を実現する。読取部１０２は、設置した原稿を光学的に走査し、画像情報を得る。スケール昇降部１０３は、スケール昇降のためのモータ制御を行う。画像形成部１０４は、用紙上に画像を形成する。用紙搬送ローラ１０５は、搬送路に配置している搬送ローラを制御し、搬送ローラ群の協調動作により用紙搬送を実現する。メモリ１０６は、原稿が読み取られて画像を形成する際の算出データや画像データを入力保持する。表示部１０７は、原稿読取装置１００が持つ情報をユーザに提示する。送風部１０８は、原稿下側の空間である上昇させたスケールの支柱または原稿スケールから空気流をコンタクトガラス１０２１と原稿との間に空気を送り込む。スケール昇降部１０３、送風部１０８等の各部の具体的な構成や動作については後述する。
【００１０】
図２は、スケール部材の昇降動作について説明する図である。原稿読取装置１００は、読取部１０２の一部を構成し、原稿Ｄがセットされる設置面を形成するコンタクトガラス１０２１の設置面近傍であってコンタクトガラス１０２１の一端に沿って設けられ、原稿Ｄの端部を当接させることでこの原稿Ｄの基準位置を決定する原稿スケール１０３１を昇降動作できる特徴を有している。図２上段は、コンタクトガラス１０２１に置かれた原稿Ｄを押えるための圧板Ｘが開けられ、原稿Ｄがコンタクトガラス１０２１上にセットされた状態、図２中段は、コンタクトガラス１０２１上に置かれた原稿Ｄが持ち上げられた状態、図２下段は、持ち上げられた原稿Ｄに対して空気流が送られた状態を示している。
【００１１】
図２に示すように、原稿読取装置１００は、コンタクトガラス１０２１と原稿スケール１０３１とを有し、原稿スケール１０３１は、先端にきりかきまたはクリップ等により構成される保持部Ｐを配置することで、原稿Ｄを保持可能である。原稿スケール１０３１は、本体制御部１０１からの指示に従って、ピニオンギア１０３２をモータ１０３３等の駆動機構（不図示）を駆動させることにより昇降することが可能であり、原稿スケール１０３１が上昇することにより原稿Ｄを持ち上げることが可能となっている。原稿スケール１０３１は、ピニオンギア１０３２およびモータ１０３３により伸縮可能な支柱Ｃがコンタクトガラス１０２１に対して垂直方向に伸縮することにより昇降する。
【００１２】
また、原稿読取装置１００は、送風路１０８１と、送風用ファン１０８２とを有した送風部１０８を備えている。送風用ファン１０８２が回転することにより生じる空気流が、送風路１０８１および支柱Ｃを通り、原稿スケール１０３１の開口部１０３１１から吹き出されることにより、コンタクトガラス１０２１上から原稿Ｄを完全に剥離することが可能となっている。送風用ファン１０８２は、本体制御部１０１により制御されるモータ等の駆動機構（不図示）により駆動される。本例では、上記開口部が原稿スケール１０３１に設けられている例を示しているが、上昇させた支柱Ｃに設けられていてもよい。
【００１３】
図２では、コンタクトガラス１０２１に置かれた原稿Ｄの一端がスケール１０３１の保持部Ｐにより保持され、支柱Ｃが上昇すると、上記一端が持ち上げられ、原稿Ｄの下側となる原稿Ｄとコンタクトガラス１０２１との間に空間が形成される。送風用ファン１０８２から送風路１０８１および支柱Ｃを経由して送られた空気流が、開口部１０３１１から上記空間に吹き出され、原稿Ｄ全体が浮き上がる。続いて、原稿スケール昇降タイミングの具体的な例について説明する。
【００１４】
図３は、原稿スケール１０３１を昇降させるタイミングを示す状態遷移表である。図３に示すように、原稿スケール１０３１の駆動のトリガとなりうるのは、圧板開閉、原稿未セットへの移行、タイムアウト、主電源ＯＦＦとしている。原稿スケール１０３１の現在位置と動作トリガの組み合わせによって、遷移先が決定される。
【００１５】
図３では、例えば、原稿スケール１０３１の現在位置が下限にあり、本体制御部１０１が、圧板Ｘが開けられたことを検知したタイミングで、上限方向である垂直上方に支柱Ｃを伸ばす。また、例えば、原稿スケール１０３１の現在位置が上限にあり、本体制御部１０１が、圧板Ｘが閉じられたことを検知したタイミングで、下限方向である垂直下方に支柱Ｃを縮める。原稿未セットへの移行、タイムアウト、主電源ＯＦＦの場合も同様に支柱Ｃを縮める。上記原稿未セットへの移行の場合とは原稿をコンタクトガラス１０２１から取り除いた場合であり、上記タイムアウトの場合とは圧板Ｘが開状態となっている時間があらかじめ定められた時間（例えば６０秒）を超えた場合であり、主電源ＯＦＦの場合とは、原稿読取装置１００の主電源がＯＦＦ状態となった場合である。
【００１６】
図４は、図３に示した状態遷移表を示したイメージ図である。記述の通り、原稿スケール１０３１が上昇するトリガは原稿セット状態での圧板開のみとする。その他のトリガは全て、原稿スケールを下降させ、基準位置に戻すことになる。なお、原稿読取装置１００の起動時は、原稿スケール１０３１の位置によらず、ピニオンギア１０３２を駆動させて常に下降させる。また、原稿Ｄをセットするタイミングは単体でトリガとしないため、不原稿Ｄのセットのみでは原稿スケール１０３１を上昇させない。
【００１７】
図５は、読取動作の処理手順を示すフローチャートである。図５に示すように、本体制御部１０１は、原稿読読取装置１００の主電源がＯＮ状態となったことを検知すると（ステップＳ５０１）、初期動作として、上記モータ等の駆動機構を駆動して支柱Ｃを縮め（ステップＳ５０２）、原稿スケール１０３１を下降させる（ステップＳ５０３）。
【００１８】
本体制御部１０１は、コンタクトガラス１０２１に置かれて保持部Ｐにより原稿Ｄが保持されたことを検知し、原稿Ｄが読み取られると（ステップＳ５０４、Ｓ５０５）、本体制御部１０１は、圧板Ｘを開く操作をトリガとして上記駆動機構を駆動させ（ステップＳ５０６、Ｓ５０７）、原稿スケール１０３１を上昇させて原稿Ｄを持ち上げた状態となり、原稿Ｄを除去し易くする（ステップＳ５０８）。
【００１９】
その後、本体制御部１０１は、原稿がコンタクトガラス１０２１から取り除かれたことを検知して未セットとなったか否かを判定し（ステップＳ５０９）、原稿が未セットとなったと判定した場合（ステップＳ５０９；Ｙｅｓ）、原稿が除去できたと判断し、上記駆動機構を駆動して（ステップＳ５１０）、原稿スケール１０３１を下降させる（ステップＳ５１１）。
【００２０】
一方、本体制御部１０１は、原稿が未セットとなっていないと判定した場合（ステップＳ５０９；Ｎｏ）、原稿がコンタクトガラス１０２１に置かれていると判断し、この状態で圧板Ｘを閉じる操作を検知したか否かを判定する（ステップＳ５１２）。
【００２１】
本体制御部１０１は、上記状態で圧板Ｘを閉じる操作を検知したと判定した場合（ステップＳ５１２；Ｙｅｓ）、上記駆動機構を駆動して（ステップＳ５１０）、原稿スケール１０３１を下降させ、原稿Ｄを持ち下げる（ステップＳ５１１）。
【００２２】
一方、本体制御部１０１は、上記状態で圧板Ｘを閉じる操作を検知していないと判定した場合（ステップＳ５１２；Ｎｏ）、さらに、不図示のタイマによりあらかじめ定められた時間が経過したか否かを判定し（ステップＳ５１３）、あらかじめ定められた時間が経過したと判定した場合（ステップＳ５１３；Ｙｅｓ）、上記駆動機構を駆動して（ステップＳ５１０）、原稿スケール１０３１を下降させ、原稿Ｄを持ち下げる（ステップＳ５１１）。このように、規定時間経過後に下降制御することにより、例えば、ユーザがもう一度同じ原稿を読み取らせたいときなど、ユーザがコンタクトガラス１０２１から原稿Ｄを取り除かないでその原稿を再び読み取る場合に、原稿Ｄの再セットが不要となり、その手間を省くことができる。
【００２３】
一方、本体制御部１０１は、あらかじめ定められた時間が経過していないと判定した場合（ステップＳ５１３；Ｎｏ）、ステップＳ５０９に戻り、以降の処理を繰り返す。
【００２４】
なお、上記処理手順では記載していないが、ステップＳ５０８において原稿スケール１０３１が上昇した後、圧板Ｘが閉じられる操作を検知して原稿が除去されるまでの間に、本体制御部１０１が送風用ファン１０８２を回転させ、原稿スケール１０３１の開口部１０３１１から空気流を吹き出してもよい。この場合、吹き出された空気流によって、コンタクトガラス１０２１上から原稿Ｄを完全に剥離することができるほか、圧板Ｘを閉じて原稿をコンタクトガラス１０２１上に戻す場合でも、原稿が空気流を受けて曲がらない状態となっているため、圧板Ｘを閉じることにより誤って原稿が折れ曲がることを防ぐことができる。
【００２５】
また、本体制御部１０１は、保持部Ｐにより保持された原稿Ｄのサイズに応じて、送風部１０８から送り出す空気流の量または／および上記空間に空気流を送り出す角度である排出角度を変えるように制御してもよい。例えば、本体制御部１０１は、保持部Ｐによりセットされた原稿ＤのサイズがＡ４サイズである場合には、原稿ＤのサイズがＢ４である場合よりも少ない空気流を上記空間に送り出すように制御する。このように、原稿サイズに応じて送り出す空気流の量を変えることにより、原稿サイズに合った空気流を送り出すことができるため、原稿の捲れやたわみを生じさせることをより一層低減させることができる。
【００２６】
さらに、原稿読取装置１００に設けられたタッチパネル等の入力表示部が、原稿Ｄをコンタクトガラス１０２１から持ち上げるか否かまたは／および空気流を送るか否かの指定をユーザから受け付けたり、これらの指定を切り替え可能としてもよい。この場合、ユーザのニーズに応じて上記持ち上げや空気流の送風を適宜選択することができる。
【００２７】
このように、本実施例では、原稿スケール１０３１の端部に原稿Ｄを保持させ、原稿スケール１０３１を原稿セット面であるコンタクトガラス１０２１から上昇させるので、原稿Ｄの読取動作後に原稿をコンタクトガラス１０２１から剥離させ、ユーザの操作性を向上させることができる。
【符号の説明】
【００２８】
１００              原稿読取装置
１０１              本体制御部
１０２              読取部
１０２１            コンタクトガラス
１０３              スケール昇降部
１０３１            原稿スケール
１０３２            ピニオンギア
１０３３            モータ
１０４              画像形成部
１０５              用紙搬送ローラ
１０６              メモリ
１０７              表示部
１０８              送風部
１０８１            送風路
１０８２            送風用ファン
Ｘ                  圧板
Ｃ                  支柱
Ｐ                  保持部
Ｄ                  原稿
【先行技術文献】
【特許文献】
【００２９】
【特許文献１】実開平０４−１１６８４６号公報
【図１】
2018019342.tif 000003
【図２】
2018019342.tif 000004
【図３】
2018019342.tif 000005
【図４】
2018019342.tif 000006
【図５】
2018019342.tif 000007